(57)【特許請求の範囲】
【請求項１】
複数箇所の接触を検出するタッチスクリーンディスプレイと、
前記複数箇所の接触の相対的な距離の変化に応じて、前記タッチスクリーンディスプレイに表示される画像を拡大又は縮小するコントローラと、を備え、
前記コントローラは、
前記タッチスクリーンディスプレイにて検出した前記複数箇所の接触の数に応じて、前記複数箇所の接触の相対的な距離の変化量に対応させて前記画像を拡大又は縮小する際の倍率を変更し、
当該変更された倍率と、当該複数箇所の接触の相対的な距離の変化量とに基づいて、画像を拡大又は縮小し、
当該拡大又は縮小された画像を前記タッチスクリーンディスプレイに表示させる、装置。
【請求項２】
前記コントローラは、前記変更された倍率と当該複数箇所の接触の相対的な距離の変化とに基づいて画像を拡大又は縮小する際に、
当該複数箇所への接触のうちの２箇所間の相対的な距離に基づいて、前記画像を拡大又は縮小する、
請求項１に記載の装置。
【請求項３】
前記コントローラは、前記複数箇所の接触を検出した後、前記複数箇所の接触の増加又は減少にかかわらず、検出した前記複数箇所の接触の数に応じて、前記画像を拡大又は縮小する際の倍率を変更する、
請求項２に記載の装置。
【請求項４】
前記コントローラは、前記複数箇所の接触が解除されてから所定期間に第２の複数箇所の接触を検出した場合には、前記変更された倍率に基づいて前記画像を拡大又は縮小して表示させる、
請求項２又は３に記載の装置。
【請求項５】
前記コントローラは、前記画像を拡大又は縮小する際の前記変更された倍率を前記タッチスクリーンディスプレイに表示させる、
請求項１から４のいずれか１項に記載の装置。
【請求項６】
タッチスクリーンディスプレイを備えた装置において、前記タッチスクリーンディスプレイに表示された画像の拡大又は縮小方法であって、
前記装置に設けられたコントローラが、前記タッチスクリーンディスプレイに対する複数箇所の接触を検出するステップと、
前記コントローラが、前記複数箇所の接触を検出したことに応じて、前記タッチスクリーンディスプレイに表示される画像を拡大又は縮小する際の倍率を当該複数箇所の接触の数に基づいて変更するステップと、
当該複数箇所の接触の相対的な距離の変化量に対応させて、変更された倍率に基づいて前記画像を拡大又は縮小するステップと、
を含む方法。
【請求項７】
タッチスクリーンディスプレイを備えた装置において、前記装置に前記タッチスクリーンディスプレイに表示された画像を拡大又は縮小させるプログラムであって、
前記タッチスクリーンディスプレイに対する複数箇所の接触を検出するステップと、
前記複数箇所の接触の相対的な距離の変化を検出したことに応じて、前記タッチスクリーンディスプレイに表示される画像を拡大又は縮小する際の倍率を設定するステップと、
当該設定された倍率に基づいて、当該複数箇所の接触の相対的な距離の変化量に対応させて前記画像を拡大又は縮小するステップと、
を前記装置に実行させるプログラム。
【発明の詳細な説明】
【技術分野】
【０００１】
本発明は、装置、方法及びプログラムに関する。特に、本発明は、タッチスクリーンディスプレイを有する装置、その装置を制御する方法及びその装置を制御するためのプログラムに関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。
【０００３】
タッチスクリーンディスプレイを備える装置の基本的な動作は、装置に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、上記の装置は、複数の指がタッチスクリーンディスプレイに接触しながら相対的に近付く方向に移動するジェスチャであるピンチインが行われると、タッチスクリーンディスプレイに表示された画像を縮小する。また、上記の装置は、複数の指がタッチスクリーンディスプレイに接触しながら相対的に遠ざかる方向に移動するジェスチャであるピンチアウトが行われると、タッチスクリーンディスプレイに表示された画像を拡大する。
しかし、ピンチイン及びピンチアウトの際の倍率は、利用者が複数の指で行うジェスチャに応じて決定されるため、より簡易的な操作によって操作性を向上することが求められていた。
【０００６】
本発明は、画像を拡大又は縮小する際の操作性を向上する装置、方法及びプログラムを提供することを目的とする。
【課題を解決するための手段】
【０００７】
本発明に係る装置は、複数箇所の接触を検出するタッチスクリーンディスプレイと、前記複数箇所の接触に応じて、前記タッチスクリーンディスプレイに表示される画像を拡大又は縮小する際の操作に対する倍率を変更して当該倍率に基づいて前記画像を拡大又は縮小して表示させる、コントローラと、を備える。
【０００８】
また、本発明に係る装置では、前記コントローラは、前記複数箇所への接触のうちの２箇所間の相対的な距離に基づいて、前記画像を拡大又は縮小して表示させてもよい。
【０００９】
また、本発明に係る装置では、前記コントローラは、検出した前記複数箇所の接触の数に応じて、前記画像を拡大又は縮小する際の倍率を変更してもよい。
【００１０】
また、本発明に係る装置では、前記コントローラは、前記複数箇所の接触を検出した後、前記複数箇所の接触の増加又は減少にかかわらず、検出した前記複数箇所の接触の数に応じて、前記画像を拡大又は縮小する際の倍率を変更してもよい。
【００１１】
また、本発明に係る装置では、前記コントローラは、前記複数箇所の接触が解除されてから所定期間に第２の複数箇所の接触を検出した場合には、前記変更された倍率に基づいて前記画像を拡大又は縮小して表示させてもよい。
【００１２】
また、本発明に係る装置では、前記コントローラは、前記画像を拡大又は縮小する際の倍率を前記タッチスクリーンディスプレイに表示させてもよい。
【００１３】
また、本発明に係る方法は、タッチスクリーンディスプレイを備えた装置において、前記タッチスクリーンディスプレイに表示された画像の拡大又は縮小方法であって、前記装置に設けられたコントローラが、前記タッチスクリーンディスプレイに対する複数箇所の接触を検出するステップと、前記コントローラが、前記複数箇所の接触を検出したことに応じて、前記タッチスクリーンディスプレイに表示される画像を拡大又は縮小する際の倍率を変更するステップと、当該倍率に基づいて、前記画像を拡大又は縮小するステップと、を含む。
【００１４】
また、本発明に係るプログラムは、タッチスクリーンディスプレイを備えた装置において、前記装置に前記タッチスクリーンディスプレイに表示された画像を拡大又は縮小させるプログラムであって、前記タッチスクリーンディスプレイに対する複数箇所の接触を検出するステップと、前記複数箇所の接触を検出したことに応じて、前記タッチスクリーンディスプレイに表示される画像を拡大又は縮小する際の倍率を設定するステップと、当該倍率に基づいて、前記画像を拡大又は縮小するステップと、を前記装置に実行させる。
【発明の効果】
【００１５】
本発明によれば、画像を拡大又は縮小する際の操作性を向上することができる。
【図面の簡単な説明】
【００１６】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、実施形態に係るタッチスクリーンディスプレイに表示された画像を拡大する際の処理を示す画面遷移図である。
【図７】図７は、実施形態に係るタッチスクリーンディスプレイに表示された画像を拡大する際における倍率を設定する処理を示す画面遷移図である。
【図８】図８は、タッチスクリーンディスプレイに表示された画像を拡大する際の処理の流れを示すフローチャートである。
【発明を実施するための形態】
【００１７】
本発明を実施するための実施形態を、図面を参照しつつ詳細に説明する。以下では、タッチスクリーンディスプレイを備える装置の一例として、スマートフォンについて説明する。
【００１８】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１９】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２０】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２１】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２２】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２３】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２４】
タッチは、一の接触によるジェスチャである。すなわち、タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２５】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２６】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２７】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２８】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２９】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３０】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３１】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３２】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３３】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３４】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３５】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３６】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３７】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３８】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３９】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００４０】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００４１】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４２】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４３】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４４】
照度センサ４は、照度を検出する。例えば、照度とは、光の強さ、明るさ、輝度等である。照度センサ４は、例えば、ディスプレイ２Ａの輝度の調整に用いられる。
【００４５】
近接センサ５は、近隣の物体の存在を非接触で検出する。近接センサ５は、例えば、タッチスクリーンディスプレイ２が顔に近付けられたことを検出する。
【００４６】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４７】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４８】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４９】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００５０】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００５１】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５２】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５３】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５４】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５５】
カメラ１２は、フロントフェイス１Ａに面している物体を撮影するインカメラである。カメラ１３は、バックフェイス１Ｂに面している物体を撮影するアウトカメラである。
【００５６】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５７】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５８】
このように構成されるスマートフォン１は、タッチスクリーンディスプレイ２に表示された画像を簡易的な操作で拡大又は縮小させることで操作性を向上することができる。なお、タッチスクリーンディスプレイ２に表示された画像とは、タッチスクリーンディスプレイ２の表示領域全体に表示されている画像である。以下、タッチスクリーンディスプレイ２に表示された画像を表示画像ともいう。以下に、具体的な処理について説明する。
【００５９】
図６（ａ）〜（ｆ）は、タッチスクリーンディスプレイ２に表示された画像を拡大する際の処理を示す画面遷移図である。
図６（ａ）は、表示画像６０を示す図である。上述したように、表示画像６０は、タッチスクリーンディスプレイ２の表示領域全体に表示されている画像である。
【００６０】
コントローラ１０は、タッチスクリーンディスプレイ２に対する複数箇所の接触を検出したことに応じて、タッチスクリーンディスプレイ２上に表示される表示画像６０を拡大又は縮小する際の倍率を変更する。コントローラ１０は、複数箇所への接触後のジェスチャ（マルチタッチジェスチャ）及び変更された倍率に基づいて、表示画像６０を拡大又は縮小する。つまり、表示画像６０を拡大又は縮小するジェスチャが検出されると、コントローラ１０は、変更された倍率に基づいて表示画像６０が拡大又は縮小する。
【００６１】
具体的には、図６（ａ）に示す状態において、コントローラ１０は、図６（ｂ）に示すように、タッチスクリーンディスプレイ２に対する複数箇所の接触（マルチタッチ）を検出する。
【００６２】
コントローラ１０は、タッチスクリーンディスプレイ２に対する複数箇所の接触を検出すると、タッチスクリーンディスプレイ２に対する複数箇所への接触のうちの２箇所間の相対的な距離（ピンチイン又はピンチアウト）及び変更された倍率に基づいて、表示画像６０を拡大又は縮小する。つまり、コントローラ１０は、接触した２箇所間の相対的な距離の変動量に対する表示画像６０を拡大率及び縮小率を変更する。
【００６３】
例えば、図６（ｃ）及び（ｄ）に示すように、コントローラ１０は、タッチスクリーンディスプレイ２に対する２箇所の接触を検出すると、当該２箇所間の相対的な距離及び変更された倍率に基づいて、表示画像６０を拡大する。
【００６４】
または、図６（ｅ）及び（ｆ）に示すように、コントローラ１０は、タッチスクリーンディスプレイ２に対する３箇所の接触を検出すると、３箇所のうちの２箇所間（例えば、指ａと指ｂとの間）の相対的な距離及び変更された倍率に基づいて、表示画像６０を拡大する。この場合、コントローラ１０は、指ｃの移動については考慮しない。また、コントローラ１０は、３箇所のうち、最初に接触を検出してからの移動距離が最も長い２箇所の相対的な距離及び倍率に基づいて、表示画像６０を拡大する。
【００６５】
このように、スマートフォン１は、複数箇所への接触のうちの２箇所間の相対的な距離及び変更された倍率に基づいて、表示画像６０を拡大又は縮小する。これにより、スマートフォン１は、タッチスクリーンディスプレイ２上に表示される表示画像６０を、複雑な操作を行うことなく、拡大又は縮小できる。
【００６６】
図７（ａ）〜（ｅ）は、タッチスクリーンディスプレイ２に表示された画像を拡大する際における倍率を変更する処理を示す画面遷移図である。
【００６７】
コントローラ１０は、タッチスクリーンディスプレイ２に対して、初めに検出した複数箇所の接触の数に応じて、表示画像６０を拡大又は縮小する際の倍率を変更する。なお、本実施形態において、表示画像６０の元の（拡大又は縮小する前の）倍率は、１倍である。
【００６８】
例えば、図７（ｂ）に示すように、コントローラ１０は、接触の数ごとに、拡大する際の拡大係数を予め設定しておく。図７（ｂ）に示す例では、接触した箇所をｎ箇所とすると、拡大係数は２ｎ−２倍と設定される。つまり、拡大係数は、２箇所接触している場合には、２２−２＝２０＝１倍、３箇所接触している場合には、２３−２＝２１＝２倍、４箇所接触している場合には、２４−２＝２２＝４倍、５箇所接触している場合には、２５−２＝２３＝８倍のように設定される。
【００６９】
図７（ａ）に示すように、コントローラ１０は、タッチスクリーンディスプレイ２に対して初めに３箇所の接触を検出すると、表示画像６０を拡大又は縮小する際の倍率を、２１＝２倍又は１／２倍に変更する。
図７（ｃ）に示すように、コントローラ１０は、３箇所のうちの２箇所間（例えば、指ａと指ｂとの間）の相対的な距離及び変更された倍率（２倍又は１／２倍）に基づいて、表示画像６０を拡大又は縮小する。
例えば、図７（ｄ）に示すように、コントローラ１０は、２箇所間の距離が増加（ピンチアウト）すると、ピンチアウトの距離及び２倍の倍率に応じて、表示画像６０を拡大する。または、コントローラ１０は、２箇所間の距離が減少（ピンチイン）すると、１／２倍の倍率で表示画像６０を縮小する。このように、スマートフォン１は、初めに接触を検出した複数箇所の接触の数に応じて、倍率を変更するため、簡易な操作で倍率を設定できる。
【００７０】
また、コントローラ１０は、タッチスクリーンディスプレイ２に対する複数箇所の接触を検出した後、複数箇所の接触の増加又は減少にかかわらず、初めに検出した複数箇所の接触の数に応じて、タッチスクリーンディスプレイ２に表示される表示画像６０を拡大又は縮小する際の倍率を変更し、変更した倍率を維持する。
【００７１】
例えば、コントローラ１０は、拡大又は縮小する際の倍率を２倍に変更した後に、図７（ｅ）及び（ｆ）に示すように、タッチスクリーンディスプレイ２への接触の数が減少した場合であっても、２箇所間（例えば、指ａと指ｂとの間）の相対的な距離及び変更された倍率（２倍）に基づいて、表示画像６０を拡大又は縮小する。
【００７２】
ここで、タッチスクリーンディスプレイのサイズが大きい装置では、タッチスクリーンディスプレイに表示される表示画像を拡大又は縮小する際に、拡大又は縮小するジェスチャ（ピンチイン又はピンチアウト）を複数回行う必要がある。上述したスマートフォン１は、複数箇所の接触の数を検出したことに応じて、タッチスクリーンディスプレイ２に表示される画像を拡大又は縮小する際の倍率を変更する。これにより、スマートフォン１は、タッチスクリーンディスプレイ２に表示される表示画像６０を簡易な操作で拡大又は縮小できるため、画像を拡大又は縮小する際の操作性を向上させることができる。
【００７３】
上述した処理に替えて、コントローラ１０は、タッチスクリーンディスプレイ２に対して初めに３箇所の接触を検出すると、表示画像６０を拡大又は縮小する際の倍率を、（２０＝１）＋（２１＝２）＝３倍又は１／３倍に変更してもよい。
【００７４】
この場合、コントローラ１０は、３箇所のうちの２箇所間（例えば、指ａと指ｂとの間）の相対的な距離及び変更された倍率（３倍又は１／３倍）に基づいて、表示画像６０を拡大又は縮小する。
【００７５】
コントローラ１０は、タッチスクリーンディスプレイ２に対する接触が解除されてから所定期間内に第２の複数箇所の接触を検出した場合には、変更された表示画像６０を拡大又は縮小する際の倍率（例えば、４倍又は１／４倍）に基づいて表示画像６０を拡大縮小して表示させる。これにより、スマートフォン１は、ユーザがタッチスクリーンディスプレイへの接触を維持し続ける必要がないため、画像を拡大又は縮小する際の操作性を向上できる。
また、図７（ｃ）〜（ｆ）に示すように、コントローラ１０は、表示画像６０を拡大又は縮小する際の倍率をタッチスクリーンディスプレイ２に表示してもよい。これにより、ユーザは、どの程度拡大又は縮小されているかを容易に把握できるため、特に、倍率が大きく変化する場合に有効である。
【００７６】
次に、タッチスクリーンディスプレイ２に表示された画像を拡大する際の処理の流れについて、図８に示すフローチャートを参照しながら説明する。
【００７７】
ステップＳＴ１において、コントローラ１０は、タッチスクリーンディスプレイ２に対する複数箇所の接触を検出する。
【００７８】
ステップＳＴ２において、コントローラ１０は、タッチスクリーンディスプレイ２に対して、初めに検出した複数箇所の接触の数に応じて、表示画像６０を拡大又は縮小する際の倍率を変更する。
【００７９】
ステップＳＴ３において、コントローラ１０は、表示画像６０を拡大又は縮小する際の倍率をタッチスクリーンディスプレイ２に表示する。
【００８０】
ステップＳＴ４において、コントローラ１０は、複数箇所への接触後のピンチアウト又はピンチインが行われたか否かを判定する。コントローラ１０は、ピンチアウトが行われた場合、ステップＳＴ５へ処理を移し、ピンチインが行われた場合、ステップＳＴ６へ処理を移す。
【００８１】
ステップＳＴ５において、コントローラ１０は、ピンチアウトの距離及び変更された倍率に応じて、表示画像６０を拡大する。
ステップＳＴ６において、コントローラ１０は、ピンチインの距離及び変更された倍率に応じて、表示画像６０を縮小する。
【００８２】
ステップＳＴ７において、コントローラ１０は、タッチスクリーンディスプレイ２に対する接触が解除されたか否かを判定する。コントローラ１０は、接触が解除された場合、ステップＳＴ８へ処理を移し、接触が維持された場合、ステップＳＴ４へ処理を移す。
【００８３】
ステップＳＴ８において、コントローラ１０は、接触が解除された後、所定期間内に再度接触を検出したか否かを判定する。コントローラ１０は、所定期間が経過した場合、ステップＳＴ４へ処理を移し、所定期間が経過していない場合、ステップＳＴ９へ処理を移す。
【００８４】
ステップＳＴ９において、コントローラ１０は、変更した表示画像６０を拡大又は縮小する際の倍率を元の倍率に変更して、本フローチャートの処理を終了する。
【００８５】
このように、スマートフォン１は、タッチスクリーンディスプレイ２に表示される表示画像６０を簡易な操作で拡大又は縮小できるため、画像を拡大又は縮小する際の操作性を向上させることができる。
【００８６】
なお、本発明は、上述した表示画像の拡大又は縮小だけに適用されるものでなく、カメラ１２又はカメラ１３のズーム倍率の調整、マルチメディアプレイヤー等のアプリケーションの音量調整等にも用いることができる。
【００８７】
なお、図５においてストレージ９が記憶することとしたプログラムの一部又は全部は、通信ユニット６による無線通信で他の装置からダウンロードされても良い。また、図５においてストレージ９が記憶することとしたプログラムの一部又は全部は、ストレージ９に含まれる読み取り装置が読み取り可能な記憶媒体に記憶されていても良い。また、図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていても良い。
【００８８】
また、図５に示したスマートフォン１の構成は一例であり、本発明の要旨を損なわない範囲において適宜変更して良い。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていても良い。また、スマートフォン１は、画面に関する操作のために、ボタンを１つだけ備えて良いし、ボタンを備えなくても良い。また、図５に示した例では、スマートフォン１が２つのカメラを備えることとしたが、スマートフォン１は、１つのカメラのみを備えても良いし、カメラを備えなくても良い。また、図５に示した例では、スマートフォン１が位置及び姿勢を検出するために３種類のセンサを備えることとしたが、スマートフォン１は、このうちいくつかのセンサを備えなくても良いし、位置及び姿勢を検出するための他の種類のセンサを備えても良い。また、照度センサ４と近接センサ５は、別体ではなく、単一のセンサにより構成されても良い。
【００８９】
本発明を完全かつ明瞭に開示するために特徴的な実施形態に関し記載してきた。しかし、添付の請求項に係る発明は、上記実施形態に限定されるべきものでなく、本明細書に示した基礎的事項の範囲内で当該技術分野の当業者が創作しうるすべての変形例及び代替可能な構成を具現化するように構成されるべきである。
【００９０】
例えば、図５に示した各プログラムは、複数のモジュールに分割されていても良いし、他のプログラムと結合されていても良い。
【００９１】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であっても良い。また、添付の請求項に係る装置は、デスクトップパソコン、テレビ受像器等の据え置き型の電子機器であっても良い。
【符号の説明】
【００９２】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  テーブル
９Ｅ  配置パターンデータベース
９Ｚ  設定データ
１０    コントローラ
１２、１３  カメラ
１４    外部インターフェイス
１５    加速度センサ
１６    方位センサ
１７    回転検出センサ
２０    ハウジング
【図１】
0005850736.tif 000002
【図２】
0005850736.tif 000003
【図３】
0005850736.tif 000004
【図４】
0005850736.tif 000005
【図５】
0005850736.tif 000006
【図６】
0005850736.tif 000007
【図７】
0005850736.tif 000008
【図８】
0005850736.tif 000009